(57)【要約】【課題】  送出ローラとフロントフェンスとの距離が十分に確保できない場合でも良好な給紙を確保することができる枚葉印刷機の給紙機構を提供する。【解決手段】  下方ローラ１２は、幅方向の一部に円周に亘って設けられた凹部１２ａを有している。一方、フロントフェンス３は、板状体３２の下方ローラ１２に近接する側の端部において、前記下方ローラ１２の凹部１２ａに対応する位置に板状体３２の平面に平行な凸部３２ａを有している。そして、フロントフェンス３が下方ローラ１２に近接する送出状態において、フロントフェンス３の凸部３２ａが下方ローラ１２の凹部１２ａに進入可能となる。【選択図】          図３
2007022707.tif 000002
【特許請求の範囲】
【請求項１】
上方ローラおよび下方ローラを有し、枚葉紙を上下に挟み込んで給紙方向前方側に当該枚葉紙を送出する送出ローラと、
当該送出ローラの手前にあり、当該送出ローラの回転軸に平行な軸回りに板状部分が回動可能であり、当該板状部分が回動することにより、枚葉紙の前縁を規制すべく直立した規制状態と枚葉紙を送出可能とすべく前記下方ローラに向けて傾斜した送出状態とに切り替え可能なフロントフェンスとを具備し、
前記下方ローラは、幅方向の一部に円周に亘って設けられた凹部を有し、
前記フロントフェンスは、前記板状部分の下方ローラに近接する側端部において前記凹部に対応する位置に、板状面に平行な方向に凸部を有し、前記送出状態において、前記凸部が前記下方ローラの凹部に進入可能であることを特徴とする枚葉印刷機の給紙機構。
【請求項２】
上方ローラおよび下方ローラを有し、枚葉紙を上下に挟み込んで給紙方向前方側に当該枚葉紙を送出する送出ローラと、
該送出ローラの手前にあり、当該送出ローラの回転軸に平行な軸回りに板状部分が回動可能であり、当該板状部分が回動することにより、枚葉紙の前縁を規制すべく直立した規制状態と枚葉紙を送出可能とすべく前記下方ローラに向けて傾斜した送出状態とに切り替え可能なフロントフェンスとを具備し、
前記フロントフェンスは、前記板部分の下方ローラに近接する側端部において前記下方ローラが近接する箇所に切欠き部を有し、前記送出状態において、当該フロントフェンスの幅方向の一部にローラ面を有する下方ローラが前記切欠き部に進入可能であることを特徴とする枚葉印刷機の給紙機構。
【発明の詳細な説明】
【技術分野】
【０００１】
本発明は、枚葉印刷機の給紙機構に関する。
【背景技術】
【０００２】
枚葉印刷機においては、給紙台から枚葉紙を一枚ずつ印刷機に送出する給紙機構を用いている（例えば、特許文献１）。
【０００３】
このような給紙機構において、給紙台からフィーダボード等へ枚葉紙を送出するために枚葉紙を上下から挟み込んで送出する送出ローラの手前に設けられ、枚葉紙を所定のタイミングで送出すべく規制する（規制状態）一方、送出ローラに対して滑らかに誘導する（送出状態）ためのフロントフェンスが設けられている。当該フロントフェンスは、送出ローラの回転軸に平行な支軸および当該支軸に平行に取り付けられ支軸回りに回動可能な板状体を有し、当該板状体が回動することにより、支軸回りに回動することにより規制状態と送出状態とに切り替え可能に構成されている。
【特許文献１】特開２０００−２５５７９４号公報
【発明の開示】
【発明が解決しようとする課題】
【０００４】
しかし、このような従来の給紙機構においては、以下のような問題があった。枚葉印刷機またはその仕様によっては、送出状態におけるフロントフェンスが送出ローラ（下方ローラ）に当接または非常に近接した状態となる。また、枚葉印刷機の小型化の要請から、送出ローラとフロントフェンスの支軸との距離が十分に確保できない場合がある。
【０００５】
このように、送出ローラとフロントフェンス（の支軸）との距離が十分に確保できないと、フロントフェンスの送出状態における傾斜角が十分に取れず、また、送出ローラに当接または非常に近接することにより、枚葉紙がフロントフェンスまたは送出ローラにおいて引っ掛かりが生じて、紙端が折れたり、給紙不良を生じ易くなるという問題があった。
【０００６】
本発明は、かかる従来技術の問題点を解決するべくなされたもので、送出ローラとフロントフェンスとの距離が十分に確保できない場合でも良好な給紙を確保することができる枚葉印刷機の給紙機構を提供することを目的とする。
【課題を解決するための手段】
【０００７】
本発明に係る枚葉印刷機の給紙機構は、枚葉紙を上下に挟み込んで給紙方向前方側に当該枚葉紙を送出する送出ローラと、当該送出ローラの手前にあり、当該送出ローラの回転軸に平行な軸回りに板状部分が回動可能であり、当該板状部分が回動することにより、枚葉紙の前縁を規制すべく直立した規制状態と枚葉紙を送出可能とすべく前記下方ローラに向けて傾斜した送出状態とに切り替え可能なフロントフェンスとを具備し、前記下方ローラは、幅方向の一部に円周に亘って設けられた凹部を有し、前記フロントフェンスは、前記板状部分の下方ローラに近接する側端部において前記凹部に対応する位置に、板状面に平行な方向に凸部を有し、前記送出状態において、前記凸部が前記下方ローラの凹部に進入可能であることを特徴とするものである。
【０００８】
上記構成の枚葉印刷機の給紙機構によれば、送出ローラは、上方ローラおよび下方ローラにより、枚葉紙を上下に挟み込んで給紙方向前方側に当該枚葉紙を送出する。また、フロントフェンスは、送出ローラの手前（給紙方向後方側）に設けられる。フロントフェンスは、送出ローラの回転軸に平行な軸回りに板状部分が回動することにより、枚葉紙の前縁を規制すべく直立した規制状態と枚葉紙を送出可能とすべく下方ローラに向けて傾斜した送出状態とに切り替えられる。
【０００９】
ここで、下方ローラは、幅方向の一部に円周に亘って設けられた凹部を有している。一方、フロントフェンスは、板状体の下方ローラに近接する側端部において、前記下方ローラの凹部に対応する位置に板状体平面に平行な方向に凸部を有している。そして、フロントフェンスが下方ローラに近接する送出状態において、フロントフェンスの凸部が下方ローラの凹部に進入可能となる。
【００１０】
このように、フロントフェンスの凸部が下方ローラの凹部に進入可能なため、送出ローラとフロントフェンスとの距離が十分に確保できない場合でも、フロントフェンスの送出状態における傾斜角をより多く取る（板状体をより寝かせる）ことができるため、フロントフェンスの板状体が送出ローラに当接または非常に近接しても、枚葉紙がフロントフェンスまたは送出ローラにおいて引っ掛かるのを防止することができる。したがって、給紙する枚葉紙の紙端が折れたりすることなく良好な給紙を確保することができる。
【００１１】
また、本発明に係る枚葉印刷機の給紙機構は、上方ローラおよび下方ローラを有し、枚葉紙を上下に挟み込んで給紙方向前方側に当該枚葉紙を送出する送出ローラと、該送出ローラの手前にあり、当該送出ローラの回転軸に平行な軸回りに板状部分が回動可能であり、当該板状部分が回動することにより、枚葉紙の前縁を規制すべく直立した規制状態と枚葉紙を送出可能とすべく前記下方ローラに向けて傾斜した送出状態とに切り替え可能なフロントフェンスとを具備し、前記フロントフェンスは、前記板部分の下方ローラに近接する側端部において前記下方ローラが近接する箇所に切欠き部を有し、前記送出状態において、当該フロントフェンスの幅方向の一部にローラ面を有する下方ローラが前記切欠き部に進入可能であることを特徴とするものである。
【００１２】
上記構成の枚葉印刷機によっても同様に、送出ローラは、上方ローラおよび下方ローラにより、枚葉紙を上下に挟み込んで給紙方向前方側に当該枚葉紙を送出する。また、フロントフェンスは、送出ローラの手前（給紙方向後方側）に設けられる。フロントフェンスは、送出ローラの回転軸に平行な軸回りに板状部分が回動することにより、枚葉紙の前縁を規制すべく直立した規制状態と枚葉紙を送出可能とすべく下方ローラに向けて傾斜した送出状態とに切り替えられる。
【００１３】
ここで、フロントフェンスは、板状体の下方ローラに近接する側端部において下方ローラが近接する箇所に切欠き部が設けられる。そして、フロントフェンスが下方ローラに近接する送出状態において、フロントフェンスの幅方向の一部にローラ面を有する下方ローラがフロントフェンスの切欠き部に進入可能となる（フロントフェンスを下方ローラの外周面より内側に倒れ込ませることが可能となる）。
【００１４】
このように、下方ローラがフロントフェンスの切欠き部に進入可能なため、送出ローラとフロントフェンスとの距離が十分に確保できない場合でも、フロントフェンスの送出状態における傾斜角をより多く取る（板状体をより寝かせる）ことができるため、フロントフェンスの板状体が送出ローラに当接または非常に近接しても、枚葉紙がフロントフェンスまたは送出ローラにおいて引っ掛かるのを防止することができる。したがって、給紙する枚葉紙の紙端が折れたりすることなく良好な給紙を確保することができる。
【発明の効果】
【００１５】
本発明に係る枚葉印刷機の給紙機構によれば、フロントフェンスを下方ローラの外周面より内側に倒れ込ませることが可能となり、送出ローラとフロントフェンスとの距離が十分に確保できない場合でも、フロントフェンスの送出状態における傾斜角をより多く取る（板状体をより寝かせる）ことができるため、フロントフェンスの板状体が送出ローラに当接または非常に近接しても、枚葉紙がフロントフェンスまたは送出ローラにおいて引っ掛かるのを防止することができる。したがって、給紙する枚葉紙の紙端が折れたりすることなく良好な給紙を確保することができる。
【発明を実施するための最良の形態】
【００１６】
以下、添付図面を参照しつつ、本発明を実施するための最良の形態について説明する。図１は本発明の一実施形態に係る枚葉印刷機の給紙機構の送出ローラ近傍を示す図であり、図２は図１のフロントフェンスが送出状態にある場合を示す図であり、図３は図１の送出ローラ近傍を上から見た図である。
【００１７】
本実施の形態に係る枚葉印刷機の給紙機構は、図１および図２に示すように、上方ローラ１１および下方ローラ１２を有し、枚葉紙２を上下に挟み込んで給紙方向前方側に当該枚葉紙２を送出する送出ローラ１と、当該送出ローラ１の手前にあり、当該送出ローラ１の回転軸に平行な支軸３１および当該支軸３１に平行に取り付けられ支軸回りに回動可能な板状体３２（板状部分に相当）を有し、当該板状体３２が回動することにより、枚葉紙２の前縁を規制すべく直立した規制状態（図１）と枚葉紙２を送出可能とすべく前記下方ローラ１２に向けて傾斜した送出状態（図２）とに切り替え可能なフロントフェンス３とを具備している。なお、この切り替えは、カム等の駆動手段（図示せず）により支軸３１を回動させることにより、当該支軸３１に固定された板状体３２を回動させて行われる。
【００１８】
本実施形態においては、図３に示すように、枚葉紙２が載置される昇降台４１および当該昇降台４１を昇降させる昇降機構４２を有する積層部４が設けられ、フロントフェンス３の規制状態において、昇降台４１に積層された枚葉紙２の前縁が略当接するように構成されている。また、送出ローラ１の搬送方向前方側には、印刷部（図示せず）に向けて枚葉紙２を搬送するためのフィーダボード５１、枚葉紙２を搬送するための紙送りテープ５２、および紙送りテープ５２を駆動するテープローラ５３を有する搬送部５が設けられており、送出ローラ１から送られた枚葉紙２が搬送部５により印刷部に搬送される。さらに、送出ローラ１と搬送部５との間には、枚葉紙２が落下するのを防止する落下防止片６が設けられている。
【００１９】
ここで、上記構成の枚葉印刷機の給紙動作について具体的に説明する。まず、枚葉紙２が積層部４の昇降台４１に積層されている。この状態において、送出ローラ１の手前（積層部４と送出ローラ１との間；給紙方向後方側）に設けられたフロントフェンス３は、図１に示すように、支軸３１に取り付けられた板状体３２が、直立した規制状態にあり、枚葉紙２の前縁を規制することにより、給紙を規制している。
【００２０】
フロントフェンス３は、所定の給紙タイミングで、送出ローラ１の回転軸に平行な支軸３１が回動する（図１の仮想線参照）ことにより、下方ローラ１２に向けて傾斜した送出状態（図２）に切り替えられる。また、これと略同時に積層部４のサクション機構（図示せず）により最上位の枚葉紙２を給紙方向前方に移動させる。当該枚葉紙２は、フロントフェンス３によって送出ローラ１に誘導される。そして、送出ローラ１において上方ローラ１１および下方ローラ１２により枚葉紙２の幅方向の一部が上下に挟み込まれて、フィーダボード５１側（給紙方向前方側）に送出される。本実施形態において、フロントフェンス３の状態切り替えは、枚葉紙２を１枚給紙するごとに規制状態から送出状態への切り替えが繰り返される。
【００２１】
ここで、本実施形態における送出ローラ１の下方ローラ１２およびフロントフェンス３について説明する。
【００２２】
本実施形態において、下方ローラ１２は、幅方向の一部に円周に亘って設けられた凹部１２ａを有し、フロントフェンス３は、前記板状体３２の下方ローラ１２に近接する側端部において前記凹部１２ａに対応する位置に、板状体平面に平行な凸部３２ａを有し、前記送出状態（図２）において、前記凸部３２ａが前記下方ローラ１２の凹部１２ａに進入可能であるように構成される。図４は図１の給紙機構を矢符Ａから見た図である。
【００２３】
図３および図４に示すように、下方ローラ１２は、幅方向の一部に円周に亘って設けられた凹部１２ａを有している。
【００２４】
一方、フロントフェンス３は、板状体３２の下方ローラ１２に近接する側端部において、前記下方ローラ１２の凹部１２ａに対応する位置に板状体平面に平行な凸部３２ａを有している。そして、フロントフェンス３が下方ローラ１２に近接する送出状態において、フロントフェンス３の板状体３２の凸部３２ａが下方ローラ１２の凹部１２ａに進入可能となる。
【００２５】
なお、上方ローラ１１は、図３に示すように、下方ローラ１２の凸部１２ａではない部分（上方ローラ対応部分１２ｂ）に近接して配置される。ただし、上方ローラ１１の配置態様は、本実施形態のような、独立した複数（２つ）のローラが下方ローラのローラ面の一部に設けられたものでなくてもよく、下方ローラ１２の凸部１２ａではない部分に近接して配置されるのであれば、図３の態様には限られず、例えば、下方ローラ１２と同様の幅方向長さを有する１本のローラを上方ローラとして用いてもよい。
【００２６】
このように、フロントフェンス３の凸部３２ａが下方ローラ１２の凹部１２ａに進入可能なため、送出ローラ１とフロントフェンス３の支軸３１との距離が十分に確保できない場合でも、フロントフェンス３の送出状態における傾斜角をより多く取る（板状体３２をより寝かせる）ことができるため、フロントフェンス３の板状体３２が送出ローラ１に当接または非常に近接しても、枚葉紙２がフロントフェンス３または送出ローラ１において引っ掛かるのを防止することができる。したがって、給紙する枚葉紙２の紙端が折れたりすることなく良好な給紙を確保することができる。
【００２７】
なお、フロントフェンス３の送出状態において、フロントフェンス３の板状体３２は、下方ローラ１２に当接しない場合であっても同様の効果を奏するものである。図５は送出状態のフロントフェンス３における下方ローラとの位置関係の例を示す図である。図５に示すように、フロントフェンス３の板状体３２が下方ローラ１２に当接する場合（図５（ａ））、板状体３２の凸部３２ａの上面（紙面接触面）が下方ローラ１２の凹部１２ａの円周面に当接しないが下方ローラ１２の凹部１２ａではない外周面（最外周面）より内側に侵入している場合（図５（ｂ））、板状体３２の凸部３２ａの上面が下方ローラ１２の凹部１２ａではない外周面に略同一となる場合（図２および図５（ｃ））、または、板状体３２の凸部３２ａの下面が下方ローラ１２の凹部１２ａではない外周面より内側に位置する場合（図５（ｄ））のいずれであっても上記効果と同様の効果を奏する。
【００２８】
特に、図２および図５（ｃ）に示すように、板状体３２の凸部３２ａの上面（紙面接触面）が下方ローラ１２の凹部１２ａではない外周面（最外周面）に略面一となるように調整することにより、フロントフェンス３の板状体３２と下方ローラ１２との送出状態における段差がなくなり、枚葉紙２の受け渡しをより好適に行うことができる。
【００２９】
また、板状体３２の凸部３２ａの幅方向長さと、下方ローラ１２の凹部１２ａの幅方向長さは、嵌合可能な程度に略同一であってもよいが、板状体３２の凸部３２ａが下方ローラ１２の凹部１２ａに対して進入可能であれば、必ずしも嵌合する構成とする必要はない。すなわち、板状体３２の凸部３２ａの幅方向長さを下方ローラ１２の凹部１２ａの幅方向長さに対して短くしてもよい。また、板状体３２の凸部３２ａの形状も矩形、矩形の角を面取りした形状、半楕円、半円形状等、種々採用可能である。同様に下方ローラ１２の凹部１２ａについても、下方ローラ１２の回転軸を含む断面形状において当該凹部が円弧形状やテーパ形状を有する等、種々採用可能である。
【００３０】
ここで、上記実施形態の変形例について説明する。図６は図１の枚葉印刷機の給紙機構の変形例を説明するための図である。なお、図６は上記実施形態における図４に相当する図である。上記実施形態においては、下方ローラ１２が枚葉紙２の幅方向に亘って設けられているが、そうでない場合、例えば、図６に示すように、複数の下方ローラ１２’が独立に設置される場合等には、フロントフェンス３’として、前記板状体３２’の下方ローラ１２’に近接する側端部において前記下方ローラ１２’が近接する箇所に切欠き部３２’ｂが設けられ（上記実施形態における凸部３２ａではない部分に相当する）、前記送出状態において、フロントフェンス３の幅方向の一部にローラ面を有する下方ローラ１２’が前記切欠き部３２’ｂに進入可能であるように構成してもよい。
【００３１】
この場合においても、フロントフェンス３’が下方ローラ１２’に近接する送出状態において、下方ローラ１２’がフロントフェンス３’の切欠き部３２’ｂに進入可能となる（フロントフェンス３’を下方ローラ１２’の外周面より内側に倒れ込ませることが可能となる）。
【００３２】
このように、下方ローラ１２’がフロントフェンス３’の切欠き部３２’ｂに進入可能なため、送出ローラ１２’とフロントフェンス３’の支軸３１との距離が十分に確保できない場合でも、フロントフェンス３’の送出状態における傾斜角をより多く取る（板状体３２’をより寝かせる）ことができるため、フロントフェンス３’の板状体３２’ｂが送出ローラ１に当接または非常に近接しても、枚葉紙２がフロントフェンス３’または送出ローラ１において引っ掛かるのを防止することができる。したがって、給紙する枚葉紙３の紙端が折れたりすることなく良好な給紙を確保することができる。
【図面の簡単な説明】
【００３３】
【図１】本発明の一実施形態に係る枚葉印刷機の給紙機構の送出ローラ近傍を示す図である。
【図２】図１のフロントフェンスが送出状態にある場合を示す図である。
【図３】図１の送出ローラ近傍を上から見た図である。
【図４】図１の給紙機構を矢符Ａから見た図である。
【図５】送出状態のフロントフェンスにおける下方ローラとの位置関係の例を示す図である。
【図６】図１の枚葉印刷機の給紙機構の変形例を説明するための図である。
【符号の説明】
【００３４】
１  送出ローラ
１１  上方ローラ
１２，１２’  下方ローラ
１２ａ  凹部
２  枚葉紙
３，３’  フロントフェンス
３１  支軸
３２，３２’  板状体（板状部分）
３２ａ  凸部
３２’ｂ  切欠き部
【図１】
2007022707.tif 000003
【図２】
2007022707.tif 000004
【図３】
2007022707.tif 000005
【図４】
2007022707.tif 000006
【図５】
2007022707.tif 000007
【図６】
2007022707.tif 000008